(57)【要約】【課題】  ＰＣの電源オン状態においてオペレーションシステムを介して操作される内蔵型及び／又は外部接続型ＣＤ−ＲＯＭ／ＣＤ−ＲＷ駆動装置となり、ＰＣの電源断状態において単独で操作される独立型ＣＤ−ＲＯＭ／ＣＤ−ＲＷ駆動装置となり、かつ内蔵型／外部接続型表示装置を介して写真／画像及びオーディオ／ビデオディスクを表示することができるデジタルピクチャビューワ及びビデオプレーヤとなり、さらに音声／ビデオ信号を記録することができるデジタル記録装置とすることができる多目的光学的記憶媒体駆動装置を提供すること。【解決手段】  本発明の多目的光学的記憶媒体駆動装置１１は、ビデオ／音声入力／出力セレクタ１と；ビデオ／音声符号／復号器２と；マイクロプロセッサ３と；光学的記憶装置４と；メモリカード読取装置６と；ディスプレイコントローラ７と；状態表示装置８と；電力増幅器９とスピーカー１０とを備える。【選択図】    図１
2005166231.tif 000002
【特許請求の範囲】
【請求項１】
単一の装置に一体的に統合されるＣＤ駆動装置、ピクチャビューワ、ＤＶＤ駆動装置、デジタルビデオ記録装置（ＤＶＲ）、ＦＭラジオ及びＭＰ３音楽ＣＤプレーヤを有するマルチメディア・オーディオ／ビデオ・システム用多目的光学的記憶媒体駆動装置において、
内蔵型／外部接続型装置に接続されてビデオ／音声信号の入力／出力を行なうビデオ／音声入力／出力セレクタと；
前記入力ビデオ／音声信号を符号化した後に記憶するとともに、記憶されているビデオ／音声信号を復号化した後に前記内蔵型／外部接続型装置に前記ビデオ／音声入力／出力セレクタを介して出力するビデオ／音声符号／復号器と；
光学的記憶装置／メモリカード読取装置の動作をキー入力又は事前記憶される命令にしたがって制御するとともに、コンピュータのマザーボードのＢＩＯＳデータの読取り／書込みを制御するマイクロプロセッサと；
スイッチを介して前記マイクロプロセッサからの前記符号化されたビデオ／音声信号とデータ信号との読取り／書込みを行なう光学的記憶装置と；
前記マイクロプロセッサに接続される前記バス・スイッチを介して前記マイクロプロセッサからの前記符号化されたビデオ／音声信号とデータとの読取り／書込みを行なうメモリカード読取装置と；
前記マイクロプロセッサに接続され、状態表示装置の表示を制御するディスプレイコントローラと；
前記メモリカード読取装置、前記パーソナルコンピュータ及び前記光学的記憶媒体駆動装置の動作状態を表示する状態表示装置と；
前記ビデオ／音声符号／復号器に接続され、前記入力信号と復号化された出力音声信号とを増幅する電力増幅器と；
前記電力増幅器に接続され、前記増幅された音声信号を出力するスピーカーとからなるマルチメディア・オーディオ／ビデオ・システム用多目的光学的記憶媒体駆動装置。
【請求項２】
前記光学的記憶媒体駆動装置が、さらにパーソナルコンピュータ（ＰＣ）の電源及びバス・スイッチに接続されて前記ＰＣの電源オン状態を判断する電源オン検出装置を含み、前記マイクロプロセッサは、ＰＣが電源オフ状態にあるときに前記バス・スイッチを制御して前記ＰＣと前記光学的記憶媒体駆動装置との間における標準インターフェースを切断して、ＰＣのオペレーティングシステム（ＯＳ）を用いることなしに操作が行なわれるようにする一方で、一旦ＰＣの電源オン状態が検出されると、前記マイクロプロセッサは、前記バス・スイッチを制御して前記標準インターフェースの機能を再開させて、前記光学的記憶媒体駆動装置が前記ＰＣを介して操作されるようにする請求項１に記載の光学的記憶媒体駆動装置。
【請求項３】
前記光学的記憶媒体駆動装置が独立型である請求項１に記載の光学的記憶媒体駆動装置。
【請求項４】
前記光学的記憶媒体駆動装置が携帯型である請求項１〜３のいずれか１項に記載の光学的記憶媒体駆動装置。
【請求項５】
前記光学的記憶媒体駆動装置がパーソナルコンピュータに内蔵又は外部接続することができる請求項１〜３のいずれか１項に記載の光学的記憶媒体駆動装置。
【請求項６】
前記内蔵型／外部接続型装置は、テレビ、プロジェクター、プラズマディスプレイパネル、パーソナルコンピュータの液晶表示装置及びモニタを含むビデオ／音声信号供給装置及びビデオ／音声信号再生装置であってもよい請求項１〜３のいずれか１項に記載の光学的記憶媒体駆動装置。
【請求項７】
前記光学的記憶装置がＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ＋Ｒ、ＤＶＤ＋ＲＷ及びＤＶＤ−ＲＡＭサーバを含む請求項１〜３のいずれか１項に記載の光学的記憶媒体駆動装置。
【請求項８】
前記状態表示装置は、真空蛍光表示管（ＶＦＤ）及び液晶表示装置（ＬＣＤ）の一方を含む請求項１〜３のいずれか１項に記載の光学的記憶媒体駆動装置。
【請求項９】
前記状態表示装置は、前記機能のモード選択、調節制御及び状態指示に用いられる請求項１〜３のいずれか１項に記載の光学的記憶媒体駆動装置。
【請求項１０】
前記パーソナルコンピュータは、卓上型コンピュータ、ノートブック型コンピュータ、タブレット型コンピュータ及びマッキントッシュ（登録商標名）型コンピュータのひとつを含む請求項２に記載の光学的記憶媒体駆動装置。
【請求項１１】
前記パーソナルコンピュータは、卓上型コンピュータ、ノートブック型コンピュータ、タブレット型コンピュータ及びマッキントッシュ型コンピュータのひとつを含む請求項５に記載の光学的記憶媒体駆動装置。
【請求項１２】
前記標準インターフェースは、パーソナルコンピュータに内蔵又は外部接続されるＡＴＡＰＩ−ＩＤＥ、シリアルＡＴＡ又はＳＣＳＩ、ＵＳＢ１．１／２．０及びＩＥＥＥ１３９４標準インターフェースのひとつであってもよい請求項２に記載の光学的記憶媒体駆動装置。
【請求項１３】
前記電源オン検出装置は、パーソナルコンピュータの電源装置における電圧の検出又は前記パーソナルコンピュータと前記パネル制御装置との間の接続バスにおけるコンピュータホストリセット信号（ＨＲＳＴ）の検出に用いられて、前記電源オン状態が確認されるようになっている請求項２に記載の光学的記憶媒体駆動装置。
【請求項１４】
さらに、電源コネクタとＣＤアナログ音声出力コネクタとソニー・フィリップス・デジタルインターフェース（Sony-Philips Digital Interface）（ＳＰＤＩＦ）とを備える接続装置を含む一方で、前記接続装置は、支配バスと入力／出力バスとを有して光学的記憶媒体駆動装置の拡張性を高めるようになっている請求項１又は２に記載の光学的記憶媒体駆動装置。
【請求項１５】
前記光学的記憶媒体駆動装置がＤＣ又はＡＣ電源により付勢される請求項１〜３のいずれか１項に記載の光学的記憶媒体駆動装置。
【発明の詳細な説明】
【技術分野】
【０００１】
本発明は、コンパクトディスク（ＣＤ）駆動装置、デジタルバーサタイルディスク（ＤＶＤ）駆動装置、周波数変調（ＦＭ）ラジオ及びＭＰ３音楽ＣＤプレーヤの機能を内蔵するマルチメディア・オーディオ／ビデオ・システム用多目的光学的記憶媒体駆動装置に関し、特にＰＣの電源がオン状態において該ＰＣのオペレーションシステムを介して操作される内蔵型及び／又は外部接続型ＣＤ−ＲＯＭ／ＣＤ−ＲＷ駆動装置として、又はＰＣの電源がオフ状態において単独で操作される独立型ＣＤ−ＲＯＭ／ＣＤ−ＲＷとして、また内蔵型／外部接続型表示装置を介して写真／画像及びオーディオ／ビデオディスクを表示することができるデジタルピクチャビューワ及びオーディオ／ビデオプレーヤとして、さらにまた音声／ビデオ信号を記録することができるデジタル記録装置として、用いることができることを特徴とする多目的光学的記憶媒体駆動装置に関する。
【背景技術】
【０００２】
一般に、卓上型パーソナルコンピュータ（ＰＣ）、ノートブック型ＰＣ、タブレット型ＰＣ及びマッキントッシュ型ＰＣ等のシステムに取り付けられるＣＤ（すなわち光学的記憶媒体）駆動装置は、光学的な態様で情報の読取り／書込みを行なうのに用いられる記憶装置である。実際のところ、ＣＤ駆動装置は、磁気ディスケット駆動装置の発明後にデータ記憶装置の分野において達成された最も重要な技術である。こうした技術により、高密度磁気テープのように膨大な記憶容量を有するという利点と、迅速なランダムアクセス及び高速検索能力の利点と、記憶データの長期保存性の利点と、情報を低費用で記憶する能力の利点とが組み合わされた。高い精度により、こうした技術はすでに、テレビ、ステレオシステム、画像記憶及びデータ処理装置等の各種産業分野に集中的に適用されてきた。
【０００３】
現在、パーソナルコンピュータ（ＰＣ）は、一般庶民の個人データ処理装置となっている一方で、ＣＤ駆動装置は、ＰＣにおいて重要な役割を果たしてきた。しかし、ＰＣが使用されないときは、そのＰＣに取り付けられているＣＤ駆動装置も使用されないままになる。デジタルバーサタイルディスクの内容を読むためにＤＶＤ駆動装置を追加し、周波数変調ラジオ局の放送を聴くためにラジオを使用し、ＭＰ３音楽ＣＤの音楽を受信及び再生するためにコンピュータの電源をオンにしなければならないことは、むしろ不便である。
【０００４】
このため、本発明者は、２００３年１０月２８日出願の台湾特許出願第９２１２９９００号において、ＰＣのオペレーションシステムを用いずに省スペース効果と利便性の向上と低費用の実現とを達成することができる一方で、オーディオ／ビデオ・コンパクトディスクを再生するＣＤ駆動装置、デジタルバーサタイルディスクを再生するＤＶＤ駆動装置、周波数変調音楽を受信する周波数変調ラジオとＭＰ３音楽ＣＤに記憶されている音楽を再生するＭＰ３音楽ＣＤプレーヤとを単一の装置に一体的に統合することができる装置を開示した。
【０００５】
【特許文献１】台湾特許出願第９２１２９９００号
【発明の開示】
【発明が解決しようとする課題】
【０００６】
しかしながら、さらに研究及び市場調査を行ってみると、前記特許出願第９２１２９９００号に開示の装置は、ＡＣ及びＤＣ（屋外使用に便利）のいずれの電源でも動作する家庭用電化製品のように自由に移動可能な独立型であることが必要であると認められた。たとえば、このような装置は、ハイファイステレオ増幅器の機能、音声／ビデオ信号記録装置の機能、写真／画像表示／記憶装置の機能を有する一方で、内蔵型／外部接続型表示装置を介してテレビ又はプロジェクターとして容易に機能することが好ましい。
【課題を解決するための手段】
【０００７】
したがって、本発明の目的は、コンパクトディスク（ＣＤ）駆動装置、デジタルバーサタイルディスク（ＤＶＤ）駆動装置、周波数変調（ＦＭ）ラジオ及びＭＰ３音楽ＣＤプレーヤの機能を内蔵するマルチメディア・オーディオ／ビデオ・システム用多目的光学的記憶媒体駆動装置において、ＰＣの電源がオンになっている状態において該ＰＣのオペレーションシステムを介して操作される内蔵型及び／又は外部接続型ＣＤ−ＲＯＭ／ＣＤ−ＲＷ駆動装置となり、又はＰＣの電源がオフ状態において単独で操作される独立型ＣＤ−ＲＯＭ／ＣＤ−ＲＷ駆動装置となり、かつ内蔵型／外部接続型表示装置を介して写真／画像及びオーディオ／ビデオディスクを表示することができるデジタルピクチャビューワ及びビデオプレーヤとなり、さらにまた音声／ビデオ信号を記録することができるデジタル記録装置となることができることを特徴とする多目的光学的記憶媒体駆動装置を提供することにある。
【０００８】
前記目的を達成するために、本発明の一態様によれば、マルチメディア・オーディオ／ビデオ・システム用多目的光学的記憶媒体駆動装置は、
内蔵型／外部接続型装置に接続されてビデオ／音声信号の入力／出力を行なうビデオ／音声入力／出力セレクタと；
入力ビデオ／音声信号を符号化した後に記憶するとともに、記憶されているビデオ／音声信号を復号化した後に前記ビデオ／音声入力／出力セレクタを介して前記内蔵型／外部接続型装置に出力するビデオ／オーディオ符号／復号器と；
光学的記憶装置／メモリカード読取装置の動作をキー入力又は事前記憶される命令にしたがって制御するとともに、コンピュータのマザーボードのＢＩＯＳデータの読取り／書込みを制御するマイクロプロセッサと；
バス・スイッチを介して前記マイクロプロセッサからの前記符号化されたビデオ／音声信号及びデータの読取り／書込みを行なう光学的記憶装置と；
前記マイクロプロセッサに接続される前記バス・スイッチを介して前記マイクロプロセッサからの前記符号化されたビデオ／音声信号及びデータの読取り／書込みを行なうメモリカード読取装置と；
前記マイクロプロセッサに接続されて、状態表示装置の表示を制御するディスプレイコントローラと；
前記メモリカード読取装置と前記パーソナルコンピュータと前記光学的記憶媒体駆動装置との動作状態を表示する状態表示装置と；
前記ビデオ／オーディオ符号／復号器に接続されて、入力信号と復号化された出力音声信号とを増幅する電力増幅器と；
前記電力増幅器に接続されて、前記増幅された音声信号を出力するスピーカーと、
からなる単一の装置に一体的に統合された、ＣＤ駆動装置、ピクチャビューワ、ＤＶＤ駆動装置、デジタルビデオ記録装置（ＤＶＲ）、ＦＭラジオ及びＭＰ３音楽ＣＤプレーヤを備える。
【０００９】
また他の態様においては、マルチメディア・オーディオ／ビデオ・システム用多目的光学的記憶媒体駆動装置は、さらに、ＰＣの電源及びバス・スイッチに接続されて、ＰＣの電源オン状態を判断する電源オン検出装置を含み、ＰＣの電源がオフ状態のときには、前記マイクロプロセッサは、前記バス・スイッチを制御してＰＣと光学的記憶媒体駆動装置との間における標準インターフェースを切断して、ＰＣのオペレーティングシステム（ＯＳ）を用いることなしに操作が行なわれるようにする一方で、一旦ＰＣの電源オン状態が検出されると、前記マイクロプロセッサが前記バス・スイッチを制御して前記標準インターフェースの機能を再開させて、前記光学的記憶媒体駆動装置がＰＣを介して操作されるようにする。
【００１０】
本発明のさらに他の態様においては、前記光学的記憶媒体駆動装置は独立型である。本発明のまた別の態様においては、前記光学的記憶媒体駆動装置は携帯型である。本発明のさらにまた他の態様においては、前記光学的記憶媒体駆動装置はパーソナルコンピュータに内蔵又は外部接続可能である。本発明のさらに別の態様においては、前記内蔵型／外部接続型装置は、テレビ、プロジェクター、プラズマディスプレイパネル、パーソナルコンピュータの液晶表示装置及びモニタ等のビデオ／音声信号供給装置、及び、ビデオ／音声信号再生装置であってもよい。本発明のさらにまた別の態様において、前記光学的記憶装置は、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ＋Ｒ、ＤＶＤ＋ＲＷ及びＤＶＤ−ＲＡＭサーバ等を含むことができる。
【００１１】
本発明のまた他の態様においては、前記状態表示装置は真空蛍光表示管（ＶＦＤ）及び液晶表示装置（ＬＣＤ）の一方を含む。本発明のさらに他の態様においては、前記表示装置はこれらの機能のモード選択、調節制御及び指示状態を表示するのに用いられる。
【００１２】
本発明のまた別の態様においては、前記パーソナルコンピュータは、卓上型パーソナルコンピュータ、ノートブック型パーソナルコンピュータ、タブレット型パーソナルコンピュータ及びマッキントッシュ型コンピュータのひとつを含む。本発明のさらにまた他の態様においては、前記標準インターフェースは、パーソナルコンピュータに内蔵又は外部接続されるＡＴＡＰＩ−ＩＤＥ、シリアルＡＴＡ又はＳＣＳＩ、ＵＳＢ１．１／２．０及びＩＥＥＥ１３９４標準インターフェースのひとつであってもよい。
【００１３】
本発明のさらに別の態様においては、前記電源オン検出装置は、パーソナルコンピュータの電源装置における電圧又は前記パーソナルコンピュータとパネル制御装置との間の接続バスにおける前記コンピュータのホストリセット信号（ＨＲＳＴ）を検出するのに使用されて、前記電源のオン状態が確認されるようにする。
【００１４】
本発明の多目的光学的記憶媒体駆動装置は、さらに、電源コネクタ、ＣＤアナログ音声出力コネクタ、ソニー・フィリップス・デジタルインターフェース（Sony-Philips Digital Interface）（ＳＰＤＩＦ）を含む一方で、前記接続装置は、支配バスと入力／出力バスとを有して、光学的記憶媒体駆動装置の拡張性を高めるようになっている。
【発明の効果】
【００１５】
本発明の光学的記憶媒体駆動装置によれば、光学的記憶装置以外にも、さらにミニハイファイステレオシステム、デジタルピクチャビューワ及びデジタルビデオ再生／記録装置の複雑な機能を一体化して内蔵しているため、ＰＣの利用者は、光学的記憶装置の機能を利用できるだけでなく、さらにまた嵩高いステレオ、ＤＶＤプレーヤ、ＤＶＲを用いなくても写真及びデジタルビデオ信号を楽しむこともできるようになり、換言すれば光学的記憶装置の付加価値が大きく高められる。
【００１６】
さらにまた、光学的記憶媒体駆動装置のステレオ装置、デジタルピクチャビューワ及びデジタル記録／再生装置は、コンピュータへのインターフェースを必要とせずに通常の家庭用電化製品と同様に動作する独立型装置にすることができる。このような独立型装置を用いることにより、ＰＣのＣＰＵ資源を利用することなしにＣＤ、ＭＰ３及びＦＭラジオを聴き、デジタル写真及びデジタルビデオ番組を観賞し、画像ファイルを保存し、ビデオ信号を記録することができる。
【発明を実施するための最良の形態】
【００１７】
本発明の前記及びその他の目的と特徴と利点とは、詳細な説明と以下の図面とからより明らかになろう。
【００１８】
図１を参照すると、本発明の好適な実施例にしたがった光学的記憶媒体駆動装置の略構造図が示されている。図１において、マルチメディア・オーディオ／ビデオ・システム用多目的光学的記憶媒体駆動装置１１は、
ＴＶチューナのビデオ／音声信号、外部装置（図示せず）から来るコンポジットビデオ信号及び音声信号等のビデオ／音声信号を入力するとともに、ビデオ／音声信号をＰＣのモニタ及びＴＶ等の外部装置に出力するビデオ／音声入力／出力セレクタ１と；
前記ビデオ／音声入力／出力セレクタ１に接続されて、入力ビデオ／音声信号を符号化した後に記憶するとともに、記憶されているビデオ／音声信号を復号化した後に前記ビデオ／音声入力／出力セレクタ１を介して前記外部装置に出力（すなわちＤ−Ｓｕｂ／ＤＶＩインターフェースを介してＰＣに出力）するビデオ／音声符号／復号器２と；
図１に示されるように、キー入力又は事前記憶される命令にしたがって光学的記憶装置の動作を制御するマイクロプロセッサであって、ＰＣ等のコンピュータ装置からＵＳＢ／ＩＥＥＥインターフェース・コネクタを介して間接的に、又は前記ビデオ／音声符号／復号器２から直接的にデータを入力／出力することができるマイクロプロセッサ３と；
前記マイクロプロセッサからバス・スイッチ５を介して送られてくる前記符号化されたビデオ／音声信号及びデータを記憶し、ＤＶＤ−ＲＯＭサーバのような光学的記憶装置サーバに制限されることなく、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ＋Ｒ、ＤＶＤ＋ＲＷ及びＤＶＤ−ＲＡＭサーバ等のその他の光学的記憶装置サーバも含むように拡張することができる光学的記憶装置であって、該光学的記憶装置の接続インターフェースは、ＡＴＡＰＩ−ＩＤＥ（AT Attachment Packet Interface-Integrated Device Electronics）インターフェース又はＳＣＳＩ（Small Computer System Interface）インターフェース・コネクタであってもよいが、これらに制限されるわけではなく、さらに前述のシリアルＡＴＡインターフェース・コネクタであってもよく、さらにまた前述のように、本発明の多目的光学的記憶媒体駆動装置１１は、外部ＰＣにＵＳＢ１．１／２．０及びＩＥＥＥ１３９４等のＵＳＢ／ＩＥＥＥインターフェース・コネクタを介して接続することができるようになっている、光学的記憶装置４と；
前記マイクロプロセッサに接続されて、前記マイクロプロセッサから来る前記符号化されたビデオ／音声信号及びデータの読取り／書込みを行なうメモリカード読取装置６と；
前記マイクロプロセッサに接続されて、状態表示装置の表示を制御するディスプレイコントローラ７と；
前記メモリカード読取装置と光学的記憶装置１１とパーソナルコンピュータのＢＩＯＳとの動作状態を表示する状態表示装置であって、たとえば真空蛍光表示管（ＶＦＤ）又は液晶表示装置（ＬＣＤ）であってもよい状態表示装置８と；
前記ビデオ／音声符号／復号器２に接続されて、入力信号と復号化された出力音声信号とを増幅する電力増幅器９と；
前記電力増幅器に接続されて、前記増幅された音声信号を出力するスピーカー１０と、からなる。
【００１９】
前記のように、光学的記憶媒体駆動装置１１の接続インターフェースは、バスラインが挿入されているか否かに関して自己検出を行なって、バスラインが挿入された後に自動的又は手動的に光学的記憶媒体駆動装置１１をコンピュータ又はその他の装置に繋ぐことができるＡＴＡＰＩ−ＩＤＥインターフェース、シリアルＡＴＡインターフェース又はＳＣＳＩインターフェースであってもよい。したがって、本発明の光学的記憶媒体駆動装置１１は、ＡＴＡＰＩ−ＩＤＥインターフェース、シリアルＡＴＡインターフェース又はＳＣＳＩインターフェース、ＵＳＢ１．１／２．０及びＩＥＥＥ１３９４等のインターフェースをすでに備えているため、光学的記憶媒体駆動装置１１は、卓上型ＰＣ、ノートブック型ＰＣ又はタブレット型ＰＣ等のパーソナルコンピュータに接続される内蔵又は外部装置として用いることができる。
【００２０】
図２は、本発明の前記実施例にしたがった光学的記憶媒体駆動装置の電源オン検出装置３０の構造を示す回路図である。一般に、この電源オン検出装置３０は、マイクロプロセッサに内蔵されており、外部ＰＣの電源に接続されて、ＰＣの動作電圧の存在を検出するとともに、ＰＣのＡＴＡＰＩ−ＩＤＥインターフェースに接続されて、ＨＲＳＴの存在を検出するが、ＰＣは、前記信号のひとつが検出される場合には電源オン状態にあり、前記信号がいずれも検出されない場合には電源オフ状態にある。ＰＣが電源オン状態にあるとき、電源オン検出装置３０は検出信号をマイクロプロセッサ３に送って、バス・スイッチ５のオン／オフ動作が制御される。
【００２１】
図３（ａ）及び図３（ｂ）を参照して、本発明の前記実施例にしたがった光学的記憶媒体駆動装置の接続装置を簡単に説明する。図３（ａ）は、本発明の前記実施例にしたがった光学的記憶媒体駆動装置の接続装置の構造を示す図であり、この図において、光学的記憶媒体駆動装置は、ＣＤ、ピクチャビューワ、ＤＶＤ、ＤＶＲ、ＦＭラジオ及びＭＰ３音楽ＣＤプレーヤの機能を有する単一の装置に一体的に統合されている。この接続装置は、電源コネクタ３８、光学的記憶媒体駆動装置のアナログ音声出力コネクタ３５及びＳＰＤＩＦ型出力コネクタ３６を含み、この接続装置は、光学的記憶媒体駆動装置の拡張性を高めるための支配バスと入力／出力バスとを有する支配コネクタ３７に特徴がある。
【００２２】
図３（ａ）において、ＰＣに接続される接続装置の実施例が示されており、前記接続装置の左側に、電源コネクタ３８と光学的記憶媒体駆動装置のアナログ音声出力コネクタ３５とＳＰＤＩＦ型出力コネクタ３６と支配バス及び入力／出力バス（図示せず）を備える支配コネクタ３７とが設けられる一方で、前記接続装置の右側には、後部ブラケット入力３１と後部ブラケット入力３２とＦＭアンテナ３３と１２ボルトＤＣ入力３４とが設けられる。図３（ａ）の中央部分に、光学的記憶媒体駆動装置の接続装置の断面図が示される一方で、図３（ａ）の左端側及び右端側に、それぞれ取付け支持台と接続装置のコネクタとが示されている。
【００２３】
図３（ｂ）において、ＰＣに接続される接続装置のまた他の実施例が示されており、左側に標準付属品、すなわち図３（ａ）の取付け支持台の反対側の取付け支持台が図示され、同図の右側には任意選択の取付け支持台が図示され、同じ参照符号を用いて異なる図の同様の部分が示されている。
【００２４】
また、光学的記憶装置の前記機能以外にも、本発明の光学的記憶媒体駆動装置１１は、さらにミニハイファイステレオシステム、デジタルピクチャビューワ、デジタルビデオ再生／記録装置との複雑な機能を一体化して内蔵しているため、ＰＣの利用者は、光学的記憶装置の機能を享受できるだけでなく、さらにまた嵩高いステレオ、ＤＶＤプレーヤ又はＤＶＲを用いなくても写真及びデジタルビデオ信号を楽しむこともできるようになり、換言すれば光学的記憶装置の付加価値が大きく高められる。
【００２５】
さらにまた、光学的記憶媒体駆動装置のステレオ装置、デジタルピクチャビューワ及びデジタル記録／再生装置は、コンピュータへのインターフェースを必要とせずに通常の家庭用電化製品と同様に動作する独立型装置にすることができる。このような独立型装置を用いることにより、ＰＣのＣＰＵ資源を利用することなしにＣＤ、ＭＰ３及びＦＭラジオを聴き、デジタル写真及びデジタルビデオ番組を観賞し、画像ファイルを保存し、ビデオ信号を記録することができる。
【００２６】
以上、本発明の好適な実施例を説明したが、本発明はこれらに制限されるものではなく、特許請求の範囲から逸脱することなしに行なわれるさまざまな変更及び改変は、本発明の範囲内に含まれると見なされなければならない。たとえば、光学的記憶装置は、ＣＤ−ＤＡ（デジタルオーディオＣＤ）、ＶＣＤ（ビデオＣＤ）及びＳＶＣＤ（スーパーＶＣＤ）を含む周知のコンパクトディスク駆動装置、ＤＶＤ及びデジタルビデオ記録装置を包含し；前記ＩＥＥＥ１３９４インターフェースは、それぞれ４００ＭＢ／秒及び８００ＭＢ／秒の伝送速度用のＩＥＥＥ１３９４ａ及びＩＥＥＥ１３９４ｂを含む。
【図面の簡単な説明】
【００２７】
【図１】本発明の好適な実施例にしたがった光学的記憶媒体駆動装置の略図である。
【図２】本発明の前記好適な実施例にしたがった光学的記憶媒体駆動装置の電源オン検出装置の構造を示す回路図である。
【図３】図３（ａ）及び図３（ｂ）は、本発明の前記好適な実施例にしたがった光学的記憶媒体駆動装置の接続装置の構造を示す図である。
【符号の説明】
【００２８】
１  ビデオ／音声入力／出力セレクタ
２  ビデオ／音声符号／復号器
３  マイクロプロセッサ
４  光学的記憶装置
５  バス・スイッチ
６  メモリカード読取装置
７  ディスプレイコントローラ
８  状態表示装置
９  電力増幅器
１０  スピーカー
１１  光学的記憶媒体駆動装置
３０  電源オン検出装置
３１  後部ブラケット入力
３２  後部ブラケット出力
３３  周波数変調ラジオアンテナ（ＦＭアンテナ）
３４  ＤＣ入力
３５  光学的記憶媒体駆動装置のアナログ音声出力コネクタ
３６  ＳＰＤＩＦ型出力コネクタ
３７  支配コネクタ
３８  電源コネクタ
【図１】
2005166231.tif 000003
【図２】
2005166231.tif 000004
【図３】
2005166231.tif 000005